(57)【要約】【課題】音声帯域の電話装置を用いて共用される通信ループを介して変調されたデータを送受信する端末ユニットにおいて電力を節約すること。【解決手段】本発明は、通信ループを監視して遮断状態を検出すること、及び、遮断状態を検出すると、端末ユニット１００における特定の電子回路の電力消費を低減させること、を含む。さらには、本発明は、監視回路１１５を用いて通信ループ１２０を監視して通信ループにおいて音声帯域周波数レンジ外にある再開信号を検出すること、及び、この再開信号を検出すると、上記電子回路に電力を戻すこと、を含む。【選択図】図１
2014225927.tif 000002
【特許請求の範囲】
【請求項１】
電話装置に接続された通信ループを介して変調されたデータを通信するように構成された端末ユニットにおいて電力を節約する方法であって、
帯域外信号を検出するために前記通信ループを監視する段階と、
前記帯域外信号を検出した際に前記端末ユニットの低電力モードを開始する段階と、
再開信号を検出するために前記通信ループを監視する段階と、
前記再開信号が検出されたときに全電力モードに戻る段階と、
を含むことを特徴とする方法。
【請求項２】
前記帯域外信号を検出した際にループ特性パラメータをメモリに記憶する段階と、
前記全電力モードに戻る際に前記メモリから前記ループ特性パラメータをリストアする段階と、
をさらに含む請求項１に記載の方法。
【請求項３】
電話装置に接続された通信ループを介して変調されたデータを通信するように構成された端末ユニットにおいて電力を節約する方法であって、
低ビットレートの信号を検出するために前記通信ループを監視する段階と、
前記低ビットレートの信号を検出した際に前記端末ユニットの低電力モードを開始する段階と、
再開信号を検出するために前記通信ループを監視する段階と、
前記再開信号が検出されたときに全電力モードに戻る段階と、
を含むことを特徴とする方法。
【請求項４】
前記再開信号が１６ｋＨｚのＡＣ信号により構成される、請求項１から請求項３のいずれかに記載の方法。
【請求項５】
前記再開信号が４ｋＨｚより高いＡＣ信号により構成される、請求項１から請求項４のいずれかに記載の方法。
【請求項６】
前記低ビットレートの信号を検出した際にループ特性パラメータをメモリに記憶する段階と、
前記全電力モードに戻る際に前記メモリから前記ループ特性パラメータをリストアする段階と、
をさらに含む請求項３に記載の方法。
【請求項７】
前記通信ループがワイヤレス通信ループにより構成される、請求項１から請求項６のいずれかに記載の方法。
【請求項８】
電話装置に接続された通信ループを介して変調されたデータを通信するように構成された送信器及び受信器を有する端末ユニットにおいて電力を節約するように構成されたコンピュータプログラムであって、
請求項１から請求項７のいずれかに記載された方法を実行するためのコンピュータプログラムコードを含むコンピュータにより読み取り可能な媒体を具備する、ことを特徴とするコンピュータプログラム。
【請求項９】
変調されたデータを送信及び受信するユニットであって、
当該ユニットを電話装置に接続された通信ループに接続するコネクタと、
該コネクタに接続され、音声帯域より高い周波数レンジにおいて変調されたデータ信号を送信及び受信するように構成された、第１の回路と、
該第１の回路に接続され、ループ特性を記憶するように構成されたメモリ回路と、
前記コネクタに接続され、音声帯域より高い周波数レンジにおいて再開信号を検出するように構成され、前記第１の回路に対してパワーアップシーケンスを開始するように構成された、第２の回路と、
を具備することを特徴とするユニット。
【請求項１０】
帯域外信号を検出するように構成され、該帯域外信号に基づいて前記通信ループにおける遮断接続を開始するように構成された監視回路、をさらに具備する請求項９に記載のユニット。
【請求項１１】
低ビットレートの信号を検出するように構成され、該低ビットレートの信号に基づいて前記通信ループにおける遮断接続を開始するように構成された監視回路、をさらに具備する請求項９に記載のユニット。
【請求項１２】
前記メモリ回路が、さらに、
低電力状態の間においてループ特性を記憶するように構成され、
パワーアップシーケンスの間においてループ特性をリストアするように構成される、請求項９から請求項１１のいずれかに記載のユニット。
【請求項１３】
前記第１の回路がディジタル加入者ラインデータ送信回路を具備する、請求項９から請求項１２のいずれかに記載のユニット。
【請求項１４】
前記再開信号が４ｋＨｚより高いＡＣ信号により構成される、請求項９から請求項１３のいずれかに記載のユニット。
【請求項１５】
前記再開信号が、第１の周波数におけるＡＣ信号の送信と、この後における第２の周波数におけるＡＣ信号の送信と、により構成される、請求項９から請求項１４のいずれかに記載のユニット。
【請求項１６】
前記通信ループがワイヤレス通信ループにより構成される、請求項９から請求項１５のいずれかに記載のユニット。
【発明の詳細な説明】
【技術分野】
【０００１】
本発明は、変調されたデータを通信するための電力保存システムに係り、より詳細には、中央オフィス位置から顧客施設への通信ループを経てデータが変調される送信システムのための電力保存システムに係る。
【背景技術】
【０００２】
電話会社の中央オフィスから顧客の施設へ延びるワイヤループは、既存の通信基盤の遍在的部分である。これらのワイヤループは、しばしば「通常の古い電話サービス（ＰＯＴＳ）」ネットワークと称される通信ネットワークを形成する。ＰＯＴＳネットワークは、アナログ音声電話サービスをサポートするために生み出されたものである。
【０００３】
ＰＯＴＳネットワークは、現在、アナログ音声電話コールに加えて、種々様々な通信サービスをサポートしている。これらのサービスは、ファクシミリ（ＦＡＸ）マシン及びコンピュータモデムからのデジタルデータ送信を含む。音声コール、ＦＡＸ接続及びコンピュータモデム送信は、全て、従来のＰＯＴＳコールの周波数スペクトル内で動作し、したがって、既存のワイヤループ基本的構造との適合性を確保すると共に、ＰＯＴＳ電話ネットワークを経てこれらサービスを端から端まで搬送することができる。しかしながら、ＰＯＴＳ適合の送信周波数の使用は、ワイヤループの最大情報搬送容量を甚だしく制限する。
【０００４】
ある送信技術は、ワイヤループを経てのＰＯＴＳコールの情報容量限界を越えるために、ＰＯＴＳサービスに必要なものより高い搬送波周波数を使用することができる。しかしながら、既存のＰＯＴＳループ基本的構造は、このような高い周波数信号を搬送するように設計されていないために、このような送信に対して甚だ障害を及ぼす。特に、ワイヤループ間の電磁結合により、電磁ノイズ信号がループに誘起される。この電磁結合は、中央オフィスから種々の顧客分配点へと延びるワイヤ束の多数のループ間に発生し得る。
【０００５】
電磁結合によりループに誘起されるノイズ信号は、ＰＯＴＳ音声コールには影響がない。しかしながら、このような信号は、高い周波数信号を使用する広帯域巾の変調されたデータ送信と著しく干渉する。この干渉問題を軽減するために、デジタル信号プロセッサ（ＤＳＰ）のような精巧な信号処理回路が変調データの受信及び送信ユニット内に使用され、ノイズを除去し、所望の信号をエンコード及びデコードし、そしてエラー修正機能を遂行する。
【０００６】
顧客の施設をサービスするのに必要なワイヤループの数を最小にするために、ＰＯＴＳ信号と、変調されたデータ送信信号を、単一のワイヤループ上で結合することができる。ＰＯＴＳ信号と、広帯域巾の変調されたデータ送信信号を結合するために、広帯域巾の変調されたデータは、ＰＯＴＳサービスより高い周波数（スペクトル）を用いて搬送される。このスペクトルの使用は、ＰＯＴＳサービス接続を、従来割り当てられたスペクトルによってサポートできるようにすると同時に、高い周波数の変調されたデータ送信もサポートできるようにする。したがって、現在の技術は、ＰＯＴＳ及び広帯域巾データが単一のワイヤループを経て顧客施設の装置（ＣＰＥ）と中央オフィス（ＣＯ）との間で搬送されるのを許す。中央オフィスでは、ＰＯＴＳ信号周波数が高周波数のデータ信号から分離され、即ちＰＯＴＳ信号は、既存のＰＯＴＳスイッチ及びネットワークにより処理される一方、高周波数のスペクトルは、別の処理要素へ向けられる。
【発明の概要】
【発明が解決しようとする課題】
【０００７】
このような高周波数の変調されたデータ信号に対する信号処理、送信及び受信回路は、通常、サービスされるループ当たり５ワットまでの相当量の電力を必要とする。潜在的に数千ものこのようなデータ接続にサービスする大きな中央オフィスでは、この電力使用量が多大なものとなる。
【課題を解決するための手段】
【０００８】
一般に、本発明は、その１つの観点において、音声帯域の電話装置とで共用された通信ループを経て変調されたデータを通信するための送信器及び受信器を有するターミナルユニットにおいて電力を保存する方法を特徴とする。この方法は、上記ループを監視して遮断状態を検出し、遮断状態を検出した際にターミナルユニットにおけるある電子回路の電力消費を減少し、監視回路でループを監視して、ループの音声帯域周波数レンジから外れた再開信号を検出し、そしてこの再開信号が検出されたときに電子回路への電力を回復することを含む。
【０００９】
本発明の実施は、次の特徴の１つ以上を含む。変調されたデータは、フレーム情報を含むビット流であり、そして遮断状態は、フレーム情報が失われることにより指示される。変調されたデータは、シグナリングチャンネルを含み、そして遮断状態は、シグナリングチャンネルにおいて送信されるビットによって指示される。再開信号は、音声帯域より高い周波数のＡＣ信号、例えば、１６ｋＨｚのＡＣ信号である。
【００１０】
一般に、本発明は、その別の特徴において、変調されたデータを送信及び受信するユニットを特徴とする。このユニットは、このユニットを通信ループに接続するコネクタと、音声帯域より高い周波数レンジの変調されたデータ信号を送信及び受信する回路と、音声帯域より高い周波数レンジの再開信号を検出しそして上記送信及び受信回路に対するパワーアップシーケンスを開始する回路とを備えている。
【００１１】
本発明の実施は、次の特徴の１つ以上を含む。コネクタは、２線のコネクタである。送信及び受信回路は、非対称的デジタル加入者ライン送信及び受信回路を備えている。再開信号の検出回路は、１６ｋＨｚ周波数検出器である。通信ループは、ワイヤレス通信ループである。再開信号は、４ｋＨｚ以上のＡＣ信号であるか又はマルチトーンのＡＣ信号である。又、上記ユニットは、スタートアップ信号を受信するための制御信号インターフェイスと、スタートアップ信号を受信した際に再開信号を送信するための回路とを備えている。
【００１２】
一般に、本発明は、その別の特徴において、変調されたデータを送信及び受信するユニットを特徴とする。このユニットは、このユニットを通信ループに接続するコネクタと、スタートアップ信号を受信する制御信号インターフェイスと、音声帯域より高い周波数の変調されたデータ信号を送信及び受信するための回路と、制御信号インターフェイスにスタートアップ信号が受信された際にループに再開信号を送信するための回路とを備えている。
【００１３】
本発明の実施は、次の特徴の１つ以上を含む。通信ループは、ワイヤレスループである。制御信号インターフェイスは、周辺要素相互接続（ＰＣＩ）インターフェイスのようなデータインターフェイスである。スタートアップ信号は、制御信号インターフェイスにおけるデータの受信によって指示される。制御信号インターフェイスは、変調されたデータを送信及び受信するユニットと、顧客施設の装置との間でスタートアップ信号及びデータの両方を交換するのに使用される。
【００１４】
本発明の効果は、とりわけ、次の通りである。変調されたデータ信号の処理、送信及び受信回路は、非アクティブであるときに、低電力状態に入れることができ、次いで、必要に応じて全電力動作を再開するように再付勢される。中央オフィスターミナル（ＣＯＴ）及び顧客施設装置（ＣＰＥ）ユニットは、ワイヤループにおけるＰＯＴＳサービスに干渉することなく、遮断信号及び再開信号を交換することができる。更に、ＣＰＥ又はＣＯＴのいずれのユニットも、低電力状態と、全電力状態への回復との両方を開始することができる。
【図面の簡単な説明】
【００１５】
【図１】本発明によるＡＤＳＬユニットのブロック図である。
【図２】本発明により中央オフィスターミナル（ＣＯＴ）ＡＤＳＬユニットが２線ループにより顧客施設装置（ＣＰＥ）ＡＤＳＬユニットに接続された中央オフィスを示す図である。
【図３】本発明により２つの接続されたＡＤＳＬユニット間で行なわれるデータ交換を示すフローチャートである。
【発明を実施するための形態】
【００１６】
非対称的デジタル加入者ライン（ＡＤＳＬ）技術は、高周波数の搬送波信号を用いて２線ループを経て広帯域巾の変調されたデータを送信するのに使用される。ＡＤＳＬは、２線のループが、１８０００フィートまでのワイヤループを経てＰＯＴＳアナログ音声電話サービスを高速変調デジタルデータと同時に搬送できるようにする。ＰＯＴＳ及び変調デジタルサービスのこの同時サポートは、その従来割り当てられたスペクトルを用いてＰＯＴＳサービスを搬送しながら、ＰＯＴＳレンジから外れたスペクトルを用いて変調されたデジタルデータを搬送することにより行なわれる。
【００１７】
図１は、ＡＤＳＬユニットのブロック図である。変調されたデジタルデータを送信及び受信するために、ＡＤＳＬユニット１００は、例えば、デジタル信号処理（ＤＳＰ）回路を含む高速信号処理電子回路１１１を使用する。この信号処理電子回路１１１は、２線のループ１２０に誘起される漂遊電子ノイズを除去し、そして送信回路１１２及び受信回路１１３と共に、変調されたデータを送信及び受信するのに使用される。更に、信号処理回路１１１は、リード−ソロモンアルゴリズムのようなエラー修正アルゴリズムを実施して、送信中に生じるデータエラーを更に減少する。信号処理、送信及び受信機能は、例えば、モトローラ社のＣｏｐｐｅｒＧｏｌｄチップセット又はグローブスパンテクノロジーのＳＴＡＲ又はＳＬＡＤＥチップセットによって与えられる。制御回路１１７は、ＡＤＳＬユニット１００の動作を制御し、ＡＤＳＬユニットの回路による電力使用量を制御し、そしてＡＤＳＬユニットのパラメータを記憶するために設けられる。
【００１８】
ＡＤＳＬサービスを提供するために、ＡＤＳＬユニット１００は、ワイヤループ１２０の各端に配置される。図２を参照すれば、加入者の施設２４０に配置されたＡＤＳＬユニット１００は、顧客施設装置（ＣＰＥ）ＡＤＳＬユニット２４２と称される。通常、電話会社の中央オフィス２３０に配置される第２のＡＤＳＬユニット１００は、中央オフィスターミナル（ＣＯＴ）ユニット２３２として知られている。ＣＰＥユニット及びＣＯＴユニットは、１８０００フィートまでの２線ループ２２０により接続される。
【００１９】
中央オフィス及び顧客施設装置は、データインターフェイス１１６（図１）を経てＡＤＳＬユニットに接続される。ループ２３０の中央オフィス端では、ＣＯＴユニット２３２のデータインターフェイスが中央オフィスのデータ交換装置２３４に接続される。ループ２４０の加入者端では、ＣＰＥユニット２４２のデータインターフェイスが、パーソナルコンピュータ２４４のような顧客施設装置に接続される。
【００２０】
ＡＤＳＬユニットにより送信されるべきデータは、送信の前に「フレーム」として知られている構造に配列される。フレームとは、ユーザデータと、ＡＤＳＬユニットに必要とされるシグナリング情報との両方を含むビットの配列である。ＡＤＳＬユニット間に送信すべきものがないときには、フレームのユーザデータ部分に、アイドルパケットが満たされる。ＡＤＳＬフレーム構造内には低ビットレートのシグナリングチャンネルがあり、これを経てＡＤＳＬユニット間でハンドシェーク情報を交換することができる。このシグナリングチャンネルは、例えば、ワイヤループ送信経路をテストしそしてＡＤＳＬ装置状態情報を送信するのに使用される。
【００２１】
各ＡＤＳＬユニット２３２及び２４２内の回路は、ノイズを除去し、エラー修正を実行し、データをマルチプレクシし、そしてデータを送信及び受信するのに使用される。これは、４ｋＨｚより低いスペクトルを使用する２線ループ２２０を経て行なわれるＰＯＴＳ音声及びシグナリング送信に干渉することなく行なわれる。ＡＤＳＬユニット２３２及び２４２からの変調されたデータは、４ｋＨｚより高いスペクトル、通常、４０ｋＨｚ以上の周波数レンジを使用して送信される。信号フィルタ２３３及び２４３（「スプリッタ」として知られている）は、１つの位置、例えば、中央オフィス２３０から送信される信号を合成し、そして信号が離れた位置、例えば顧客施設２４０に受信されたときにその信号を分離するのに使用される。
【００２２】
中央オフィス２３０内では、スプリッタ２３３は、ＰＯＴＳスイッチング装置２３１及びＣＯＴ  ＡＤＳＬユニット２３２から出て来る信号を合成して、ループ２２０に送信する。又、スプリッタ２３３は、２線ループ２２０を経て受信した信号をＰＯＴＳスイッチング装置２３１及びＣＯＴ  ＡＤＳＬユニット２３２の両方に供給する。ＰＯＴＳスイッチング装置２３１へ送信されるべき信号は、音声帯域より高い周波数を除去するためにスプリッタ２３３によってフィルタされる。これにより得られるフィルタされた信号は、あたかもそれが従来のアナログＰＯＴＳ接続において発生されたかのように、ＰＯＴＳスイッチ２３１により処理される。スプリッタ２３３からＣＯＴ  ＡＤＳＬユニット２３２へ送られる信号は、ワイヤループ２２０を経て到着するときに全周波数のスペクトルを含むか、又は音声帯域周波数を除去するようにフィルタされる。
【００２３】
顧客施設２４０において、電話会社のネットワークインターフェイス（ＮＩ）装置として働くスプリッタ２４３は、顧客施設のＰＯＴＳ適合装置２４１及びＣＰＥ  ＡＤＳＬユニット２４２から出て来る信号を合成して、ループ２２０上に送信するのに使用される。又、スプリッタ２４３は、２線ループ２２０を経て受信した信号を、アナログ電話又はＦＡＸマシンのような顧客施設のＰＯＴＳ装置２４１と、ＣＰＥ  ＡＤＳＬユニット２４２の両方に向けるのにも使用される。
【００２４】
顧客施設のＰＯＴＳ装置２４１へ送信されるべき信号は、音声帯域より高い周波数を除去するためにフィルタされる。これにより得られるフィルタされた信号は、あたかもそれが従来のアナログＰＯＴＳ接続において発生されたかのように顧客施設のＰＯＴＳ装置２４１によって処理される。スプリッタ２４３からＣＰＥ  ＡＤＳＬユニット２４２へ送られる信号は、ワイヤループ２２０を経て到着するときに全周波数のスペクトルを含むか、又は音声帯域周波数を除去するようにフィルタされる。ＣＰＥ  ＡＤＳＬユニット２４２は、例えば、ＡＤＳＬ接続を経て送信及び受信するようにプログラムされたパーソナルコンピュータ２４４に接続されたＡＤＳＬモデムに組み込まれる。ＰＯＴＳ及びＡＤＳＬデータ機能を取り扱う回路は、信号分割及びフィルタリング、ＰＯＴＳコール処理、並びに変調されたデータの処理、送信及び受信を取り扱う単一の物理的装置内に結合することができる。或いは又、これらの機能は、多数の物理的に個別の装置を用いて達成することもできる。
【００２５】
ループ２２０を経て変調されたデータの搬送を開始する前に、ＣＯＴユニット２３２とＣＰＥユニット２４２との間でループ２２０を経て信号が交換されて、ＡＤＳＬユニットが特定のワイヤループ２２０の電子的特性に適応される。例えば、ループ長さ、ワイヤゲージ、ワイヤ組成及び他のファクタに基づくループの損失特性が交換される。この情報交換は、しばしば、ハンドシェーキングと称される。ハンドシェーキングが完了すると、ユーザデータの送信を開始することができる。
【００２６】
所要電力を減少するために、ＡＤＳＬユニット２３２及び２４２は、ユーザデータ送信が完了したときに低電力モードに入る。いずれのユニットも、低電力モードを開始することができる。例えば、ＣＰＥユニット２４２が低電力モードを開始する場合には、ＣＯＴユニット２３２へ遮断信号を送信することによって行う。この遮断信号は、ＡＤＳＬ低ビットレートのシグナリングチャンネルにおいて搬送され、或いは、ループにおける帯域外れ信号、例えば、１６ｋＨｚのＡＣ信号を使用してもよい。更に別の形態は、ＣＰＥユニットがＡＤＳＬフレーム情報の送信を停止することである（ＣＰＥユニットがパワーダウンされた場合に生じるような）。
【００２７】
遮断信号を受信すると、ＣＯＴユニット２３２は、ＣＰＥからＣＯＴへのハンドシェーキングによって決定されたループ２２０の特性をメモリ１１７に任意に記憶する。同様に、遮断信号を送信する際に、ＣＰＥユニット２４２も、ＣＰＥからＣＯＴへのハンドシェーキングによって得たループ特性を任意に記憶することができる。ループ特性を記憶すると、ユニットが全電力モードに戻されるときに、ユーザデータの送信を迅速に再開することができる。各ユニット２３２及び２４２は、次いで、信号処理回路１１１、送信回路１１２及び受信回路１１３の現在不必要な区分を遮断することにより低電力モードへ入ることができる。ループ２２０は、次いで、非アクティブ状態となる。再開信号を検出する回路１１５は、低電力動作中に信号の検出を行えるままでなければならない。ＣＯＴユニット２３２が低電力モードを開始すべき場合には、信号が同様の形態でＣＰＥユニット２４２と交換される。
【００２８】
別の実施形態では、ＣＰＥ２４２及びＣＯＴ２３２の両ユニットが、減少電力動作を行うことができる。或いは又、ＣＯＴユニット２３２のみがその電力消費を減少してもよいし、又はＣＰＥユニット２４２のみがその電力消費を減少してもよい。ＣＯＴユニット２３２のみがその電力消費を減少すべき場合には、ＣＯＴユニット２３２は再開信号発生回路１１４を必要とせず、又、ＣＰＥユニット２４２は再開信号検出回路１１５を必要としない。同様に、ＣＰＥユニット２４２のみが電力消費を減少すべき場合には、ＣＰＥユニット２４２は再開信号発生回路１１４を必要とせず、又、ＣＯＴユニット２３２は再開信号検出回路を必要としない。したがって、低電力モードに入れることのできる特定の回路要素は、ＡＤＳＬユニットの異なるブランド、モデル及びバージョンの間で変化し得る。
【００２９】
低電力モードにあるユニットを全電力動作に戻すために、そのユニットに再開信号が送信される。１つの実施形態においては、ＣＯＴ  ＡＤＳＬユニットは、ＣＰＥ  ＡＤＳＬユニットによりワイヤループを経て送信された１６ｋＨｚＡＣ信号を受信した際に全電力動作を再開する。この再開信号は、従来の周波数検出技術を使用する１６ｋＨｚＡＣ信号検出器１１５を用いてＣＯＴユニットにより検出することができる。この検出器１１５は、ユニット２３２が低電力モードにあるときに動作状態に保たれる。ＣＰＥユニット２４２が減少電力動作を行える場合には、ＣＯＴユニット２３２からＣＰＥユニット２４２へ送信された再開信号が顧客の施設に同様に受信され、そしてＣＰＥユニット２４２により検出される。
【００３０】
再開信号を受信すると、受信側ＡＤＳＬユニットは、信号処理回路１１１、送信回路１１２及び受信回路１１３を全電力モードに戻す。ループ送信特性が記憶された場合には、これらのパラメータがメモリ１１７から検索され、これを使用して、ループ送信特性を決定するのに必要な時間を短縮することにより、データ送信を迅速に再開できるようにする。全電力モードが再開された後に、ＡＤＳＬユニット２３２と２４２との間の付加的なハンドシェーキングを行うことができる。全動作状態に到達すると、ユーザデータの送信を再開することができる。
【００３１】
図２及び３を参照すれば、本発明の１つの例示的な適用は、パーソナルコンピュータ（ＰＣ）２４４と、リモートデータソース２５０との間のリンクを維持するに必要な所要電力を減少することである。リモートデータソース２５０は、例えば、インターネットサービスプロバイダー（ＩＳＰ）又はオンラインサービスプロバイダー（ＯＳＰ）である。例示的な構成においては、ＣＰＥ  ＡＤＳＬユニット２４２は、ＡＤＳＬユニット２４２を経てデータを送信及び受信するようにプログラムされたパーソナルコンピュータ２４４にデジタルインターフェイス２４７により接続される。ＣＰＥ  ＡＤＳＬユニット２４２は、ＰＣ２４４にインストールされるか又は接続されたＡＤＳＬモデムに組み込むことができる。ＣＰＥ  ＡＤＳＬユニット２４２は、リモードデータソース２５０へのリンクが存在する中央オフィス２３０のＣＯＴ  ＡＤＳＬユニット２３２へワイヤループ２２０により接続される。
【００３２】
例示的な構成では、ワイヤループ２２０は、最初に非アクティブであり、したがって、ＣＰＥ  ＡＤＳＬユニット２４２と、ＣＯＴ  ＡＤＳＬユニット２３２との間の情報の流れを阻止する。ループ２２０をアクティブな状態に戻すために、スタートアップ信号がＣＰＥ  ＡＤＳＬユニットへ送信される（ステップ３０１）。スタートアップ信号は、例えば、ＰＣ２４４で動作している装置ドライバ又は他のプログラムモジュールからデジタルインターフェイス２４７を経て送信されるコマンドであるか、又はターンオンされるＣＰＥ  ＡＤＳＬユニットへの電力により表わされてもよい。スタートアップ信号を受信すると、ＣＰＥ  ＡＤＳＬユニットは、セーブされたループ特性パラメータを再記憶することができる（ステップ３０２）。ＣＰＥ  ＡＤＳＬユニットは、次いで、１６ｋＨｚ再開信号をループに送信する（ステップ３０３）。この再開信号は、その後、ＣＯＴユニットのループ監視回路によって検出される（ステップ３０４）。ＣＯＴユニットが低電力状態にある場合には、ＣＰＥユニットからの再開信号を検出した際に全電力動作に戻り、これはループ特性パラメータを回復することを含む（ステップ３０５）。ＣＯＴユニットが低電力状態になかった場合には、再開信号がＣＯＴユニットによって無視される。ＣＰＥ及びＣＯＴ  ＡＤＳＬユニットは、次いで、それらユニット間に信頼性の高いデータ通信を確立するためにハンドシェーキング情報を交換することができる（ステップ３０６）。ハンドシェーキング情報は、例えば、ループ抵抗の温度従属変化によってループ特性が変化する場合に必要となる。又、ハンドシェーキング情報は、他の装置初期化の目的で交換することもできる。
【００３３】
ＣＰＥ  ＡＤＳＬユニットからＣＯＴ  ＡＤＳＬユニットへの信頼性のあるデータ送信が確立されると、その確立されたデータ経路を経て情報を交換することができる（ステップ３０７）。図２を参照すれば、パーソナルコンピュータ２４４は、ＡＤＳＬユニット間のデータ経路を使用し、デジタルインターフェイス２４７を経てＣＰＥ  ＡＤＳＬユニット２４２へ情報を送信することによりリモートデータソースと通信することができる。このデジタルインターフェイスは、工業規格のコンピュータインターフェイス、例えば、小型コンピュータシステムインターフェイス（ＳＣＳＩ）、イーサネット（登録商標）インターフェイス又は周辺要素相互接続（ＰＣＩ）インターフェイス、或いは２方向データ交換を行うことのできる他の工業規格又は売主所有のインターフェイスでよい。ＰＣからＣＰＥユニットへの情報は、ユーザデータと、ＣＰＥ  ＡＤＳＬユニットの動作を制御するためのシグナリング情報、或いはＡＤＳＬ−ＡＤＳＬユニットシグナリングチャンネルを経てこのようなシグナリングを中継することによりＣＯＴ  ＡＤＳＬユニットの動作を制御する情報との両方を含むことができる。ＰＣによりＣＰＥユニットへ与えられるユーザデータは、確立されたＣＰＥ−ＣＯＴデータ送信経路を経てＣＯＴユニットへ送信される。
【００３４】
ＣＯＴユニットに受け取られたデータは、標準的な電話会社のスイッチング装置に適合するデータ信号フォーマット、例えば、１．５４４百万ビット／秒（Ｍｂｐｓ）のＴ１データ信号に変換されてもよいし、或いは光学的搬送波レベル３（ＯＣ−３）の同期光学ネットワーク（ＳＯＮＥＴ）インターフェイスを経て非同期転送モード（ＡＴＭ）セルに変換されてもよい。受信されたデータは、今や中央オフィス装置に適合するフォーマットであり、標準的な電話インターフェイス２３６を経て電話会社の高速データスイッチング装置２３４、例えば、デジタル交差接続スイッチ又はマルチプレクス装置へ供給され、更に、リモートデータソース２５０に接続された第２インターフェイス２５１へ供給される。或いは、データは、中間のスイッチング装置２３４によって処理せずに、ＣＯＴ  ＡＤＳＬユニット２３２からリモードデータソース２５０へ直接流れるようにしてもよい。リモートデータソース２５０とＰＣ２４４との間の２方向データ転送は、ＰＣ２４４からＣＰＥユニット２４２へ、更に、ＣＯＴユニット２３２へ、更に、スイッチング装置２３４へそしてリモートデータ装置２５０へと形成される経路を経て行なわれる。
【００３５】
図３を再度参照すれば、ＣＯＴユニットは、ＣＰＥユニットからＣＯＴユニットへ遮断信号を送信することにより低電力モードに戻ることができる（ステップ３０８）。遮断信号は、高速で送信される信号であってもよいし、又は赤外線であってもよい。例えば、遮断信号は、ＣＰＥ  ＡＤＳＬユニットとＣＯＴ  ＡＤＳＬユニットとの間で送信される一連のシグナリングビットとして高速で送信することができる。或いは、ＰＣ及びＣＯＴ  ＡＤＳＬユニットが遮断された場合に、ＣＰＥユニットとＣＯＴユニットとの間で送信されるフレーム情報が失われることから遮断を推測することができる。遮断信号は、その後、ＣＯＴ  ＡＤＳＬユニットの監視回路によって検出される（ステップ３０９）。遮断信号が検出されると、ＣＯＴユニットは、ループ特性をセーブし（ステップ３１０）、そしてそのとき不要な回路への電力を減少することにより低電力モードに入る（ステップ３１１）。ここに述べる手順３００を繰り返して、データ送信を再開することができる。本質的に、その同じシーケンスを実行して、ＣＰＥ  ＡＤＳＬユニット２４２の電力を減少することができる。ＣＰＥ  ＡＤＳＬユニットは、例えば、データ経路上にユーザアクティビティを何ら伴わずにプリセット又はプログラムされた時間周期が経過したとき、又はＣＯＴ  ＡＤＳＬユニットから適当な信号が送信されたときに、低電力モードに入ることができる。
【００３６】
請求の範囲内で他の実施形態も考えられる。例えば、本発明は、非対称的データチャンネルを備えたＡＤＳＬユニットについて説明したが、音声帯域サービスが変調データ送信とループを共用する他のターミナルユニット、例えば、対称的デジタル加入者ライン（ＳＤＳＬ）及びレート適応デジタル加入者ライン（ＲＡＤＳＬ）ターミナルユニットに適用することもできる。同様に、２線ループをもつシステムについて説明したが、本発明は、ワイヤレスループ及びループセグメントを含むシステムに使用することもできる。ウェークアップ信号は、マルチトーン信号、及びＰＯＴＳスペクトルから外れた他の信号を含むことができる。ターミナルユニットの回路は、デジタル回路、アナログ回路、ソフトウェア、ファームウェア、又はそれら要素の組み合わせを含むことができる。したがって、本発明の範囲は、請求の範囲のみによって限定されるものとする。
【符号の説明】
【００３７】
１００  ＡＤＳＬユニット
１１１  信号処理電子回路
１１２  変調データ送信回路
１１３  変調データ受信回路
１１４  再開信号発生器
１１５  再開信号検出器
１１６  データインターフェイス
１１７  制御回路（メモリ）
【図１】
2014225927.tif 000003
【図２】
2014225927.tif 000004
【図３】
2014225927.tif 000005
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
音声帯域の電話装置とで共用された通信ループを経て変調されたデータを通信するための送信器及び受信器を有する非対称的デジタル加入者ライン（ＡＤＳＬ）、対称的デジタル加入者ライン（ＳＤＳＬ）、又はレート適応デジタル加入者ライン（ＲＡＤＳＬ）端末ユニットにおいて電力を節約する方法であって、音声帯域サービスが変調されたデータの送信と該ループを共用し、
遮断状態を示す、明示的に送信された遮断信号を検出するために前記ループを監視する段階と、
遮断状態を検出したときに、前記端末ユニットにおける信号処理回路、変調されたデータを送信するための送信回路、及び変調されたデータを受信するための受信回路の電力消費を減少させる段階と、
前記ループの音声帯域周波数レンジ外の再開信号を、４ｋＨｚを超えるＡＣ信号の形式で検出するために監視回路によって前記ループを監視する段階と、
前記再開信号が検出されたときに、前記信号処理回路、前記送信回路、及び前記受信回路の電力を回復させる段階と
を含むことを特徴とする方法。
【請求項２】
変調されたデータは、シグナリングビット及びデータビットを含むビットフレームを含み、そして前記遮断信号を検出するための前記ループの監視は、該ビットフレームにおけるシグナリングビットを監視することを含む、請求項１に記載の方法。
【請求項３】
前記再開信号は１６ｋＨｚのＡＣ信号を含む、請求項１に記載の方法。
【請求項４】
前記遮断信号を受信した際にループ特性パラメータをメモリに記憶する段階と、
前記受信回路に電力を回復させる際に前記メモリから前記ループ特性パラメータをリストアする段階と、
をさらに含む請求項１に記載の方法。
【請求項５】
ループ特性を決定するためにハンドシェーキングする段階を更に含む、請求項４に記載の方法。
【請求項６】
変調されたデータを送信及び受信するユニットにおいて、
前記ユニットを音声帯域の電話装置とで共用された通信ループに作動的に接続するコネクタと、
前記コネクタに接続され、音声帯域より高い周波数レンジの変調されたデータ信号を送信及び受信する第１回路と、
前記第１回路に作動的に接続されて、低電力状態においてループ特性パラメータを記憶し、パワーアップシーケンスの間にループ特性パラメータをリストアする、メモリ回路と、
前記コネクタに接続され、音声帯域より高い周波数レンジの再開信号を検出し、そして前記第１回路に対するパワーアップシーケンスを開始する第２回路と
を備えたことを特徴とするユニット。
【請求項７】
前記コネクタが２線のコネクタを含む、請求項６に記載の変調されたデータを送信及び受信するユニット。
【請求項８】
前記第１回路が、非対称デジタル加入者ラインデータ送信回路を含む、請求項６に記載の変調されたデータを送信及び受信するユニット。
【請求項９】
前記第２回路が、１６ｋHｚ周波数検出回路を含む、請求項６に記載の変調されたデータを送信及び受信するユニット。
【請求項１０】
前記ループがワイヤレス通信ループを含む、請求項６に記載の変調されたデータを送信及び受信するユニット。
【請求項１１】
前記再開信号が４ｋＨｚを超えるＡＣ信号を含む、請求項６に記載の変調されたデータを送信及び受信するユニット。
【請求項１２】
前記再開信号が、第１周波数におけるＡＣ信号を送信と、それに続く、第２周波数におけるＡＣ信号の送信とを含む、請求項６に記載の変調されたデータを送信及び受信するユニット。
【請求項１３】
スタートアップ信号を受信するための制御信号インターフェイスと、
前記コネクタに接続され、前記制御信号インターフェイスでスタートアップ信号を受信した際に前記ループに再開信号を送信する第３回路と
を更に備えた請求項６に記載の変調されたデータを送信及び受信するユニット。
【請求項１４】
ハンドシェーキングをして、前記ループと関連するループ特性パラメータを決定するよう構成された、請求項６に記載の変調されたデータを送信及び受信するユニット。
【請求項１５】
変調されたデータを送信及び受信するユニットにおいて、
前記ユニットを音声帯域の電話装置とで共用された通信ループに作動的に接続するコネクタと、
前記コネクタに接続され、音声帯域より高い周波数の変調されたデータ信号を送信及び受信する第１回路と、
スタートアップ信号を受信するための制御信号インターフェイスと、
前記第１回路に作動的に接続されて、低電力状態においてループ特性パラメータを記憶し、前記制御信号インターフェイス上で前記スタートアップ信号を受信した際にループ特性パラメータをリストアする、メモリ回路と、
前記コネクタに接続され、前記制御信号インターフェイス上でスタートアップ信号を受信した際に、前記ループ上でパワーアップシーケンスを開始するよう再開信号を送信する第２回路と
を備えたことを特徴とするユニット。
【請求項１６】
前記通信ループが２線の通信ループを含む、請求項１５に記載の変調されたデータを送信及び受信するユニット。
【請求項１７】
前記通信ループはワイヤレス通信ループを含む、請求項１５に記載の変調されたデータを送信及び受信するユニット。
【請求項１８】
前記制御信号インターフェイスはデータインターフェイスを含む、請求項１５に記載の変調されたデータを送信及び受信するユニット。
【請求項１９】
前記データインターフェイスは周辺要素相互接続（ＰＣＩ）インターフェイスを含む、請求項１８に記載の変調されたデータを送信及び受信するユニット。
【請求項２０】
前記制御信号インターフェイス上での前記スタートアップ信号の受信は、該制御信号インターフェイス上でのデータ受信を含む、請求項１８に記載の変調されたデータを送信及び受信するユニット。
【請求項２１】
前記制御信号インターフェイスは、前記変調されたデータを送信及び受信するユニットと、顧客施設の装置との間でスタートアップ信号及びデータを交換する、請求項１５に記載の変調されたデータを送信及び受信するユニット。
【請求項２２】
ハンドシェーキングをして、前記ループと関連するループ特性パラメータを決定するよう構成された、請求項１５に記載の変調されたデータを送信及び受信するユニット。
【請求項２３】
信号処理回路と、
前記通信ループを介して変調されたデータを送信するための送信回路と、
前記コネクタに接続された、前記通信ループを介して変調されたデータを受信するための受信回路と、
前記信号処理回路、前記送信回路、及び前記受信回路に接続された電力制御回路と、
前記ループ上の遮断信号を検出するよう構成された監視回路と、
音声帯域周波数レンジの外にある再開信号を検出するよう構成された監視回路と、
を備え、
前記ユニットは、遮断信号を受信した際に、前記信号処理回路、前記送信回路、及び前記受信回路を遮断するよう構成され、
前記ユニットは、前記再開信号を検出した際に、前記信号処理回路、前記送信回路、及び前記受信回路に対するパワーアップシーケンスを開始するよう構成された、
請求項６に記載の変調されたデータを送信及び受信するユニット。
【請求項２４】
前記監視回路は、音声帯域よりも高い周波数の交流電流信号を検出する回路を含む、請求項２３に記載の変調されたデータを送信及び受信するユニット。